(57)【要約】【課題】  弁機構を簡略にし、泡吐出ポンプの部品数を減らすことによって生産コストを低減すること、および、泡吐出ポンプのノズルヘッドが、泡吐出ポンプのステムの上部から簡単に外れないようにした泡状の内容液吐出容器を提供すること。【解決手段】  容器本体と、ノズルから泡状の内容液を吐出する泡吐出ポンプと取付キャップとからなる泡状液の吐出容器であって、泡吐出ポンプが、大径シリンダーと下端に吸込みパイプを装着した小径シリンダーとからなるシリンダー部材と、シリンダー部材に装着するピストン部材と、ノズルヘッドとを備えており、ピストン部材が、ピストンと、ポペット弁と、ピストンガイドと、大径シリンダー内に空気室を形成するエアーピストンと、エアーピストンバルブと、ピストンガイド上部に係合し、ピストンガイドの上部内方にボール弁を内包する気液混合室を形成し、上部内周にメッシュリングを装着したステムとを具備しており、ステムの外周に、ノズルヘッドを装着していることを特徴とする。【選択図】  図１
2007054823.tif 000002
【特許請求の範囲】
【請求項１】
容器本体と、ノズルから泡状の内容液を吐出する泡吐出ポンプと取付キャップとからなる泡状液の吐出容器であって、
泡吐出ポンプが、大径シリンダーと下端に吸込みパイプを装着した小径シリンダーとからなるシリンダー部材と、シリンダー部材に装着するピストン部材と、ノズルヘッドとを備えており、
ピストン部材が、小径シリンダー内に摺動自在に係合するピストンと、該ピストンと係合するポペット弁と、ピストンの上端に係合するピストンガイドと、
ピストンガイド外周に係合する内筒部と空気孔を具えた上壁部、および大径シリンダー内に摺動自在に係合する摺動筒部とを具え、大径シリンダー内に空気室を形成するエアーピストンと、
エアーピストンの内筒部の下部外周に係合し、エアーピストンの空気孔を開閉するエアーピストンバルブと、
ピストンガイド上部に係合し、ピストンガイドの上部内方にボール弁を内包する気液混合室を形成し、かつエアーピストンの内筒部の上部内筒に摺動自在に係合する下部筒部を具え、上部内周にメッシュリングを装着したステムとを具備しており、
ステムの外周に、ノズルヘッドを装着していることを特徴とする泡状液の吐出容器。
【請求項２】
容器本体と、ノズルから泡状の内容液を吐出する泡吐出ポンプと取付キャップとからなる泡状液の吐出容器であって、
泡吐出ポンプが、大径シリンダーと下端に吸込みパイプを装着した小径シリンダーとからなるシリンダー部材と、シリンダー部材に装着するピストン部材と、ノズルヘッドとを備えており、
ピストン部材が、小径シリンダー内に摺動自在に係合するピストンと、該ピストンと係合するポペット弁と、ピストンの上端に係合するピストンガイドと、
ピストンガイド外周に係合する内筒部と上壁部、上壁部に立設された上部外筒、および大径シリンダー内に摺動自在に係合する摺動筒部とを具え、大径シリンダー内に空気室を形成するエアーピストンと、
ピストンガイド上部に係合し、ピストンガイドの上部内方にボール弁を内包する気液混合室を形成し、かつエアーピストンの内筒部上部に摺動自在に係合する下部筒部と、シール筒を連設した上部筒部を具え、上部内周にメッシュリングを装着したステムとを具備しており、
ステムの外周に、ノズルヘッドを装着していることを特徴とする泡状液の吐出容器。
【請求項３】
ステムの筒部外周にフランジを設け、フランジからシール筒を垂設し、
エアーピストンの上部壁部に外周上端に空気の流通路を設けた上部外筒を立設し、内筒部との間の上部壁部に空気孔を穿設し、
ステムの上下動により、ステムのシール筒内周面とエアーピストンの上部外筒外周面が摺動当接し、空気室と容器外部との空気の流通路を開閉するようにしたことを特徴とする請求項２記載の泡状液の吐出容器。
【請求項４】
シリンダー部材の大径シリンダー周壁に通気孔を穿設し、エアーピストンの摺動筒部の上下動によって通気孔を開閉し、容器本体内の内容液吸上げによる負圧を防止することを特徴とする請求項１または２記載の泡状液の吐出容器。
【請求項５】
大径シリンダー周壁の内周上端部に係合部を形成し、
該係合部に上板と係合筒を具えた内蓋を嵌着するようにしたこと特徴とする請求項１記載の泡状液の吐出容器。
【発明の詳細な説明】
【技術分野】
【０００１】
本発明は、泡状の内容液吐出容器、とくに内容液吐出容器における内容液を泡状に吐出するポンプに関するものである。
【背景技術】
【０００２】
容器本体と、容器本体の口筒部に装着する取付キャップと、シリンダーとピストン、ステムとノズルヘッドとからなる泡噴出ポンプにおいて、ノズルヘッドを押下げることで容器本体内の内容液を吸上げ、ポンプ内の気液混合室内で内容液と空気とを混合し、メッシュリングで発泡させ、ノズルヘッドのノズル口より泡状の内容液を吐出させるとともに、容器本体内に外気を吸入するようにした泡状の内容液吐出容器は、従来より知られている（例えば、特許文献１参照）。
【特許文献１】特開平９−１２４０６３号公報
【発明の開示】
【発明が解決しようとする課題】
【０００３】
上記特許文献１記載の泡噴出ポンプ（１０）は、気液混合室に空気を送るために、内部を空気室とする大径シリンダー部（２２）と、第２ピストン（６０）を具えているが、容器本体内が負圧とならないように容器外部より空気を吸入させるために、シリンダーの大径シリンダー部（２２）の内周上部に第１空気吸入弁（８０）を装着していた。
さらに、気液混合室（４６）に空気を送るために、大径シリンダー部（２２）に係合する大径の第２ピストン（６０）の下面に、第２空気吸入弁（９０）を装着していた。
そのため、泡吐出ポンプの空気吸入弁の部品数が多くなり、生産コストが高くつくという問題があった。
【０００４】
また、内方に気液混合室（４６）を形成したステム（４０）の上部に、発泡ユニット（１３０）を内方に装着したポンプヘッド（１００）を装着しているため、故意または過失により、ポンプヘッド（１００）が発泡ユニット（１３０）とともに、ステム（４０）の上部から外されることがあった。
そのため、ステム（４０）の上部内方の気液混合室（４６）の上方が開口し、気液混合室（４６）内に収納している球形の液吐出弁（７０）が外に飛び出し、紛失すると、ポンプとして使用できなくなるという問題があった。
【０００５】
本発明は、上記問題を解決することを課題とし、弁機構を簡略にし、泡吐出ポンプの部品数を減らすことによって生産コストを低減すること、および、泡吐出ポンプのノズルヘッドが、泡吐出ポンプのステムの上部から簡単に外れないようにした泡状の内容液吐出容器を提供することを目的とする。
【課題を解決するための手段】
【０００６】
本発明は、上記の課題を解決するため、泡状液の吐出容器として、容器本体と、ノズルから泡状の内容液を吐出する泡吐出ポンプと取付キャップとからなる泡状液の吐出容器であって、泡吐出ポンプが、大径シリンダーと下端に吸込みパイプを装着した小径シリンダーとからなるシリンダー部材と、シリンダー部材に装着するピストン部材と、ノズルヘッドとを備えており、ピストン部材が、小径シリンダー内に摺動自在に係合するピストンと、該ピストンと係合するポペット弁と、ピストンの上端に係合するピストンガイドと、ピストンガイド外周に係合する内筒部と空気孔を具えた上壁部、および大径シリンダー内に摺動自在に係合する摺動筒部とを具え、大径シリンダー内に空気室を形成するエアーピストンと、エアーピストンの内筒部の下部外周に係合し、エアーピストンの空気孔を開閉するエアーピストンバルブと、ピストンガイド上部に係合し、ピストンガイドの上部内方にボール弁を内包する気液混合室を形成し、かつエアーピストンの内筒部の上部内筒に摺動自在に係合する下部筒部を具え、上部内周にメッシュリングを装着したステムとを具備しており、ステムの外周に、ノズルヘッドを装着していることを特徴とする構成を採用する。
【０００７】
泡状液の吐出容器の別実施例として、容器本体と、ノズルから泡状の内容液を吐出する泡吐出ポンプと取付キャップとからなる泡状液の吐出容器であって、泡吐出ポンプが、大径シリンダーと下端に吸込みパイプを装着した小径シリンダーとからなるシリンダー部材と、シリンダー部材に装着するピストン部材と、ノズルヘッドとを備えており、ピストン部材が、小径シリンダー内に摺動自在に係合するピストンと、該ピストンと係合するポペット弁と、ピストンの上端に係合するピストンガイドと、ピストンガイド外周に係合する内筒部と上壁部、上壁部に立設された上部外筒、および大径シリンダー内に摺動自在に係合する摺動筒部とを具え、大径シリンダー内に空気室を形成するエアーピストンと、ピストンガイド上部に係合し、ピストンガイドの上部内方にボール弁を内包する気液混合室を形成し、かつエアーピストンの内筒部上部に摺動自在に係合する下部筒部と、シール筒を連設した上部筒部を具え、上部内周にメッシュリングを装着したステムとを具備しており、ステムの外周に、ノズルヘッドを装着していることを特徴とする構成を採用する。
【０００８】
シール筒の実施例として、ステムの筒部外周にフランジを設け、フランジからシール筒を垂設し、エアーピストンの上部壁部に外周上端に空気の流通路を設けた上部外筒を立設し、内筒部との間の上部壁部に空気孔を穿設し、ステムの上下動により、ステムのシール筒内周面とエアーピストンの上部外筒外周面が摺動当接し、空気室と容器外部との空気の流通路を開閉するようにしたことを特徴とする構成を採用する。
【０００９】
大径シリンダーの実施例として、シリンダー部材の大径シリンダー周壁に通気孔を穿設し、エアーピストンの摺動筒部の上下動によって通気孔を開閉し、容器本体内の内容液吸上げによる負圧を防止することを特徴とする構成を採用する。
【００１０】
大径シリンダーの別実施例として、大径シリンダー周壁の内周上端部に係合部を形成し、該係合部に上板と係合筒を具えた内蓋を嵌着するようにしたこと特徴とする構成を採用する。
【発明の効果】
【００１１】
本発明の泡吐出ポンプは、ノズルヘッドを押下げることにより、従来例と同様に、容器本体内の内容液を吸上げるとともに、気液混合室内で空気室から送給される空気と混合させ、メッシュリングで泡状にし、ノズル口より吐出することができる。
大径シリンダー部に通気孔を設け、エアーピストンの摺動筒部で開閉するようにしたので、容器本体内に空気吸入弁が不要となり、部品数が減り、生産コストを下げることができるようになった。
【００１２】
また、泡吐出ポンプのノズルヘッドが、泡吐出ポンプのステムの上部から外れても、気液混合室が、ピストンガイドとステムとの強固な嵌合により形成されているので、気液混合室が開口することがなく、ボール弁が気液混合室の外に飛び出すことを防止できるようになった。
【発明を実施するための最良の形態】
【００１３】
次に、本発明の泡状の内容液吐出容器について、実施例をあげ、図面を参照して説明する。
【実施例１】
【００１４】
図１において、Ａは容器本体、Ｂは取付キャップ、Ｃは取付キャップＢにより容器本体Ａの口筒部にパッキンＰを介して装着される泡吐出ポンプ、Ｄは取付キャップＢの上部に着脱可能に被嵌されるオーバーキャップである。
【００１５】
容器本体Ａは、口筒部１と胴部２、および底部からなり、口筒部１外周には、取付キャップＢを取着するねじ３が設けられている。
【００１６】
取付キャップＢは、上壁５と、上壁５の内縁に垂設された案内筒６と、上壁５の外縁に垂設された側周壁７とを具えており、案内筒６内周には縦溝６ａが設けられている。
側周壁７は、上部側周筒８と段部９と下部側周筒１０とを具えており、上部側周筒８の内周の所定の箇所には係合凹部１１が設けられ、上部側周筒８の外周には、オーバーキャップＤと係合する係合突条１２が設けられている。
【００１７】
下部側周筒１０の内周には、上部に泡吐出ポンプＣと係合して保持する係合部１３が設けられ、下部には容器本体Ａの口筒部１のねじ３と螺合するねじ１４が設けられている。
【００１８】
泡吐出ポンプＣは、図１、２に示すように、シリンダー部材Ｃ１とピストン部材Ｃ２、およびピストン部材Ｃ２に装着されるノズルヘッドＣ３とから構成されている。
【００１９】
図２、３に示すように、シリンダー部材Ｃ１は、大径シリンダー１５と底壁１６、小径シリンダー１７とから構成され、大径シリンダー１５の上方部には、取付キャップＢの係合部１３に係合される取付フランジ１８が連設され、該取付フランジ１８の上面には、大径シリンダー１５から突出し、係合凹部１１と係合する位置合わせ突部１９が設けられている。
大径シリンダー１５の所定位置には、通気孔２０が穿孔されている。
【００２０】
底壁１６の中央部には、隆起部２１が形成され、その中央から小径シリンダー１７が垂設され、小径シリンダー１７の下端部は、縮径されて円錐筒２２が設けられ、その下端は、流通口２３となっている。
【００２１】
円錐筒２２の下方には、吸込みパイプ２４を取付ける接続筒２５が垂設されている。
円錐筒２２の内面下端は、弁座２６となっており、円錐筒２２の内面には、弁座２６を囲んで、複数個のばね受けリブ２７が突設されている。
【００２２】
図２〜５に示すように、ピストン部材Ｃ２は、小径シリンダー１７内周に摺動自在に装着されたピストン３０と、ピストン３０内に内装されたポペット弁３１とスプリング３２、ピストン３０の上端に連設されたピストンガイド３３、ピストンガイド３３の上端に装着されたステム３４、および大径シリンダー１５内周に摺動自在に装着されたエアーピストン３５とから構成されている。
【００２３】
図３に示すように、ピストン３０は、筒部３６と、筒部３６の上部外周に設けられた係合フランジ３７を具えており、筒部３６の下部は拡径され、小径シリンダー１７内周面と摺動するシール筒部３８が形成されている。
筒部３６の内周面中間には、内方に突出し湾曲する係合リング３９が突設されており、係合リング３９の下面と小径シリンダー１７のばね受けリブ２７との間に、スプリング３２が弾接されている。
【００２４】
ポペット弁３１は、軸体４０と、下部に下部弁体４１と、上部に上方に向かって拡径するテーパ筒状の上部弁体４２とを具えている。
軸体４０は、下方から大径部４３と、小径部４４とから形成され、それぞれの外周面には、上下方向に延びる複数の縦溝４３ａ、４４ａが配設されている。
【００２５】
上部弁体４２の外周面には、ピストン３０の係合リング３９の内周面が係合される。
下部弁体４１の下端は、小径シリンダー１７の弁座２６に係合する弁部４５が形成されて流通口２３を開閉するようになっており、下部弁体４１の上部には、小径シリンダー１７に設けられた複数のばね受けリブ２７の間に上下動可能に挿入される係合リブ４６が設けられている。
【００２６】
図２、４に示すように、ピストンガイド３３は、外筒部４７と、外筒部４７の内周に配設される仕切板４８と、仕切板４８の下面から垂設される内筒部４９とを具えている。
【００２７】
外筒部４７は、上方から、上筒部５０と、下方に向かって拡径する拡径筒部５１と、ピストン３０の筒部３６外周上部と内周が係合する下筒部５２と、前記拡径筒部５１の下端に設けられ、ピストン３０の係合フランジ３７上面と係合する係合フランジ５３を具えている。
上筒部５０の外周下方には、縦リブ５４が複数立設され、下筒部５２の外周面には、上下方向に延びる縦溝５２ａが複数配設されている。  
【００２８】
仕切板４８は、外筒部４７の上筒部５０下端内周から環状に突出するように連設され、内周縁には弁座筒５５が立設され、流通口５６が設けられており、弁座筒５５の上端には、ボール弁５７が載置されている。
【００２９】
内筒部４９の外周は、ピストン３０の筒部３６内周上部と係合し、外筒部４７の下筒部５２内周とともに、ピストンガイド３３がピストン３０の上部に嵌合装着されるようになっている。
内筒部４９の内周には、内方がポペット弁３１の上部弁体４２の側周に係合する縦リブ５８が複数突設されており、内筒部４９下端は、薄肉とされ、ピストン３０の係合リング３９と係合するようになっている。
【００３０】
図２、５に示すように、ステム３４は、上部筒部６０と下部筒部６１を具えており、上部筒部６０の下端部内周には、仕切部６２が設けられている。
上部筒部６０の内周には、メッシュリング６３が装着されており、仕切部６２には、流通孔６４が穿孔されている。
仕切部６２の上面には、流通孔６４の周縁から上方に延びるメッシュリング６３の保持部６５が設けられている。
【００３１】
仕切部６２は、環状の上壁部６６と、上壁部６６の内縁に垂設された内筒６７を具えており、内筒６７の下端には、下方に向かって縮径する弁部６８が設けられている。
弁部６８下端とピストンガイド３３内周の弁座筒５５上端とによってボール弁５７の移動範囲を規制している。
【００３２】
ステム３４の下部筒部６１下方の内周面と、仕切部６２の上壁部６６下面、および内筒６７外周面は、ピストンガイド３３の上筒部５０上部と係合する係合部６９となっており、下部筒部６１の内周面と上筒部５０外周面のそれぞれに膨出部６１ａ、５０ａが設けられ、ステム３４がピストンガイド３３から簡単に抜けないように嵌着されている。
ステム３４には、下部筒部６１の内周面から内筒６７の外周面に通ずる空気溝７０が複数凹設されている。
【００３３】
下部筒部６１の下端は拡径され、係合筒７１が形成されており、係合筒７１内周は、空気溝７０に通じる流通路となっている。
また、ピストンガイド３３の上筒部５０内周面と仕切板４８、ステム３４の上壁部６６との間に形成される空間によって、気液混合室７２が形成されている。
【００３４】
図５に示すように、エアーピストン３５は、内筒部７３と環状の上壁部７４と、上壁部７４の外縁に連設され、シリンダー部材Ｃ１の大径シリンダー１５の内周面に挿入され、液密に摺動する摺動筒部７５とを具えている。
また、摺動筒部７５は、大径シリンダー１５に設けられた通気孔２０を、ピストン上昇時には、封鎖するように形成されている。
内筒部７３は、上壁部７４の内縁に連設された下部内筒７６と、下部内筒７６上面の内縁から内方に湾曲するように立設された上部内筒７７とを具えている。
【００３５】
下部内筒７６は、下端がピストンガイド３３の係合フランジ５３上面に当接し、内周が外筒部４７の下筒部５２の外周面に摺動するようになっている。
上部内筒７７は、内周が、ピストンガイド３３の外筒部４７の拡径筒部５１、および上筒部５０の下部外周との間で間隙をもって摺動するように形成されている。
【００３６】
上壁部７４は、内筒部７３外周に内縁が連設される上部壁７８と、上部壁７８の外縁下面に垂設される筒壁に内縁が連設される下部壁７９とを具えている。
上部壁７８には、所定の箇所に空気孔８０が複数穿設されている。
【００３７】
エアーピストン３５の下部には、エアーピストンバルブ８１が装着され、該エアーピストンバルブ８１は、下部内筒７６の外周に内周が係合する筒部８２と、筒部８２の外周下部から上方に向かって延び、先端上部がエアーピストン３５の下部壁７９の下面に当接する円板状の弁部８３とから構成されている。
大径シリンダー１５内には、エアーピストン３５の上壁部７４より下方に空気室８４が形成されている。
【００３８】
ノズルヘッドＣ３は、片側にノズル８５を設けたヘッド部８６と、ヘッド部８６の下方に垂設された筒部８７とを具えている。
筒部８７の内周には、ステム３４の上部筒部６０外周に係合する係合部８８が設けられ、筒部８７の外周には、取付キャップＢの案内筒６内周に設けた縦溝６ａに係合し、案内筒６内周でノズルヘッドＣ３が回転することを防止する縦リブ８９が設けられている。  
ノズルヘッドＣ３内には、筒部８７内からヘッド部８６内を通り、ノズル８５の先端まで連なる流通路９０が形成されている。
【００３９】
オーバーキャップＤは、図１に示すように、頂壁９１と側周壁９２とから構成され、側周壁９２の下端部には、取付キャップＢの係合突条１２と係合する係合突条９３が設けられている。
【００４０】
次に、本実施例の泡状内容液吐出容器の作用効果について説明する。
吐出容器の使用にあたって、まず、オーバーキャップＤを取付キャップＢの上部から外す。  
次に、ノズルヘッドＣ３を押下げることにより、従来公知の容器同様、ステム３４、ピストンガイド３３、ピストン３０を押下げ、小径シリンダー１７内の内容液を吸上げ、気液混合室７２内で内容液と空気を混合させ、メッシュリング６３により内容液を泡状にし、ノズル８５より泡状の内容液を吐出することができ、押下げの最終時には、図６に示す状態になる。
【００４１】
ノズルヘッドＣ３の押下げ始めには、ステム３４とピストンガイド３３は下方に移動するが、エアーピストン３５は、大径シリンダー１５内周面とエアーピストン３５の摺動筒部７５との当接により抵抗を受け、一緒には移動しない。
さらに、ノズルヘッドＣ３の押下げが進むと、ステム３４の下部筒部６１の膨出部６１ａがエアーピストン３５の下部内筒７６上面に当接し、エアーピストン３５を押下げ、空気室内の空気圧を上げる。  
【００４２】
空気室８４内の空気は、エアーピストン３５の下部内筒７６下端と、ピストンガイド３３の係合フランジ５３上面との間隙から、ピストンガイド３３の下筒部５２の縦溝５２ａ、上筒部５０の縦リブ５４の間を通って、ピストンガイド３３外周と、ステム３４の下部筒部６１下端部との間を流れ、ステム３４の空気溝７０を通り、気液混合室７２内に流入される。
そして、流通口５６から気液混合室７２内に吸上げられた内容液と空気が混合され、ステム３４の弁部６８の開口よりメッシュリング６３に送られ、泡状化され、ノズル８５より吐出される。
【００４３】
エアーピストン３５を押下げると、エアーピストン３５の摺動筒部７５による大径シリンダー１５の通気孔２０への封鎖が解かれ、容器の外部から侵入した空気は通気孔２０を通して容器本体Ａ内に給気される。
したがって、容器本体Ａ内が、内容液を吸上げることにより負圧になることを防止することができる。
【００４４】
泡状の内容液の吐出が終わり、ノズルヘッドＣ３への押下げを解くと、従来公知の容器同様、スプリング３２の復元力により、ノズルヘッドＣ３、ステム３４、ピストンガイド３３、ピストン３０は上昇し、吸込みパイプ２４を介して容器本体Ａ内の内容液を小径シリンダー内に吸上げ、最後には図１に示す状態に戻る。
【００４５】
ステム３４とピストンガイド３３が上昇し始めると、エアーピストン３５は、大径シリンダー１５内周面とエアーピストン３５の摺動筒部７５との当接により、直ちに上昇しない。
そして、ステム３４の係合筒７１の内周面が、エアーピストン３５の上部外筒７７の外周面を摺動するとともに、エアーピストン３５の下部内筒７６下端とピストンガイド３３の係合フランジ５３面とが係合し、空気室８４と気液混合室７２との間の流路が遮断され、気液混合室７２から内容液、および空気が空気室８４内に逆流することが防止される。
【００４６】
さらに、ピストンガイド３３の上昇が進むと、ピストンガイド３３の係合フランジ５３上面がエアーピストン３５の下部内筒７６下端を押上げ、エアーピストン３５も上昇を始める。
【００４７】
エアーピストン３５が上昇すると、空気室８４内が負圧となるが、エアーピストン３５の下部に装着したエアーピストンバルブ８１の弁部８３が変形し、エアーピストン３５の下部壁７９との係合が外れ、開口し、空気室８４内に空気が給気される。
また、エアーピストン３５が上昇すると、エアーピストン３５の摺動筒部７５により大径シリンダー１５の通気孔２０が封鎖される。
【００４８】
ノズルヘッドＣ３の押下げ操作を繰り返すことにより、ノズル８５より所望の量の泡状の内容液を吐出することができる。
内容液の使用を中止する際には、オーバーキャップＤを取付キャップＢの上部から被嵌すると、容器内に粉塵や水が侵入することを防ぐことができる。
【００４９】
本実施例の泡状内容液吐出容器は、容器の落下衝撃、故意、または過失によって、泡吐出ポンプＣのノズルヘッドＣ３が、泡吐出ポンプＣの上部から外れても、ステム３４がピストンガイド３３の上部に強固に嵌合されているので、ステム３４が気液混合室７２の蓋体となり、ボール弁５７が気液混合室７２内から外に飛び出すことを防止することができる。
【実施例２】
【００５０】
次に、第１実施例の泡吐出ポンプの構成を変えた第２実施例について説明する。
本実施例の第１実施例と同一の構成部分には、同一の符号を付して図示して詳しい説明を省略し、以下相違点を中心に説明する。  
【００５１】
図７において、Ａは容器本体、Ｂａは取付キャップ、Ｃａは取付キャップＢａにより容器本体Ａの口部にパッキンＰを介して装着される泡吐出ポンプ、Ｄは取付キャップＢａの上部に着脱可能に被嵌されるオーバーキャップである。
【００５２】
取付キャップＢａは、上壁５と、上壁５の内縁に垂設された案内筒６と、上壁５の外縁に垂設された側周壁７とを具えており、案内筒６内周には縦溝６ａが設けられている。
側周壁７は、上部側周筒８と段部９と下部側周筒１０とを具えており、上部側周筒８の内周上部の所定の箇所には、係合突部１００が設けられ、上部側周筒８の外周には、オーバーキャップＤと係合する係合突条１２が設けられている。
【００５３】
図７、８に示すように、泡吐出ポンプＣａは、シリンダー部材Ｃ１ａとピストン部材Ｃ２ａ、およびピストン部材Ｃ２ａに装着されるノズルヘッドＣ３とから構成されており、シリンダー部材Ｃ１ａは、大径シリンダー１５と底壁１６、小径シリンダー１７とから構成され、大径シリンダー１５の上端部には、取付キャップＢａの係合突部１００と係合する位置合わせ凹部１０１が設けられている。
【００５４】
ピストン部材Ｃ２ａは、小径シリンダー１７内周に摺動自在に装着されたピストン３０と、ピストン３０内に内装されたポペット弁３１とスプリング３２、ピストン３０の上端に連設されたピストンガイド３３、ピストンガイド３３の上端に装着されたステム１０２、および大径シリンダー１５内周に摺動自在に装着されたエアーピストン１０３とから構成されており、ステム１０２とエアーピストン１０３を除いて、実施例１と同一の構成を採用している。
【００５５】
ステム１０２は、実施例１と同様に、ピストンガイド３３の上筒部５０上部と係合する係合部６９によって、ステム１０２がピストンガイド３３から簡単に抜けないように嵌着されており、上部筒部６０と下部筒部６１とを具え、上部筒部６０の下端部内周には、仕切部６２が設けられている。
下部筒部６１の外周には、フランジ１０４が設けられ、フランジ１０４の外縁からシール筒１０５が垂設されており、シール筒１０５の下端には、拡径部１０５ａが設けられている。
【００５６】
エアーピストン１０３は、実施例１と同様に、内筒部７３と環状の上壁部７４と、上壁部７４の外縁に連設され、シリンダー部材Ｃ１ａの大径シリンダー１５の内周面に挿入され、液密に摺動する摺動筒部７５とを具えている。
【００５７】
上壁部７４は、内筒部７３外周に内縁が連設される上部壁部１０６を具えており、上部壁部１０６の上面には、所定の位置に上部外筒１０７が立設され、該上部外筒１０７の上端外周はやや広げられ、シール部１０８となっている。
上部外筒１０７と内筒部７３との間には、所定の箇所に空気孔８０が複数穿設されている。
【００５８】
前記上部外筒１０７、シール部１０８は、ステム１０２のシール筒１０５の内周と摺動自在に係合し、ステム１０２上昇時に、上部外筒１０７のシール部１０８との間に空気が流通するようになっている。
【００５９】
次に、本実施例の泡状の内容液吐出容器の作用効果について説明する。
ノズルヘッドＣ３の上昇時には、取付キャップＢａの案内筒６内周と、ノズルヘッドＣ３の筒部８７外周との間隙から入ってくる空気が、ステム１０２のシール筒１０５下端の拡径部１０５ａと、エアーピストン１０３の上部外筒１０７のシール部１０８の間から空気が入り、空気孔８０を介して空気室８４内に流入する。
【００６０】
その際、エアーピストン１０３の下部内筒７６下端とピストンガイド３３の係合フランジ５３上面との係合、およびエアーピストン１０３の上部内筒７７の上端とステム１０２の下部筒部６１下部内周との係合により、空気室８４内の空気が気液混合室７２内に流入することを阻止している。
【００６１】
泡状の内容液を吐出する際、ノズルヘッドＣ３の押下げ始めには、ステム１０２とピストンガイド３３は下方に移動するが、エアーピストン１０３は、シリンダー部材Ｃ１ａの大径シリンダー１５内周面とエアーピストン１０３の摺動筒部７５との当接により下方に移動しない。
【００６２】
このことで、ステム１０２のシール筒１０５の内周面がエアーピストン１０３の上部外筒１０７のシール部１０８と係合し、空気の流入を停止するとともに、エアーピストン１０３の下部内筒７６下端とピストンガイド３３の係合フランジ５３上面との係合が外れ、間隙が形成される。
その際、シール部１０８は、上方に広がっているので、シール筒１０５の内周壁によって押圧され、シールをより確実にすることができる。
【００６３】
さらに、図９に示すように、ノズルヘッドＣ３の押下げが進むと、ステム１０２の下部筒部６１の膨出部６１ａが、エアーピストン１０３の下部内筒７６上面に当接し、エアーピストン１０３を押下げる。
エアーピストン１０３が押下げられることにより、空気室８４内の空気圧が上がる。
【００６４】
ノズルヘッドＣ３への押下げを外すと、ステム１０２とピストンガイド３３の上昇し始め時には、エアーピストン１０３は、シリンダー部材Ｃ１ａの大径シリンダー１５内周面とエアーピストン１０３の摺動筒部７５との当接により上昇しない。
このことで、ステム１０２のシール筒１０５の内周面がエアーピストン１０３の上部内筒７７の外周面を摺動するとともに、エアーピストン１０３の下部内筒７６下端とピストンガイド３３の係合フランジ５３上面とが当接して間隙がなくなり、空気室８４と気液混合室７２との間の流路が遮断され、気液混合室７２から内容液および空気が空気室８４内に逆流することが防止される。  
【００６５】
また、ステム１０２のシール筒１０５の上昇により、シール筒１０５下端の拡径部１０５ａ、エアーピストン１０３の上部外筒１０７のシール部１０８との間が開き、空気室８４内に外部より空気が給気される。
その他の構成は、第１実施例と同一であり、同一の作用効果を得ることができる。
【００６６】
上記実施例では、エアーピストン１０３の上部外筒１０７外周上端にシール部１０８を設け、ステム１０２のシール筒１０５下端に拡径部１０５ａを設けたが、ノズルヘッドＣ３の押下げ前に、ステム１０２のシール筒１０５上部外筒との間で、空気の流通ができればよいので、シール筒１０５の下端と上部外筒１０７の上端のいずれかに、流通溝、切欠け、テーパー部を設けてもよく、実施例に限定されない。
【実施例３】
【００６７】
次に、上記各実施例の取付キャップおよび泡吐出ポンプのノズルヘッドの構成を変えた第３実施例について説明する。
本実施例の第１実施例と同一の構成部分には、同一の符号を付して図示して詳しい説明を省略し、以下相違点を中心に説明する。  
【００６８】
図１０において、Ａは容器本体、Ｂｂは取付キャップ、Ｃｂは取付キャップＢｂにより容器本体Ａの口部に装着される泡吐出ポンプである。
【００６９】
取付キャップＢｂは、上壁５と、上壁５の内縁に上部が突出するように連設された内筒１２０と、上壁５の外縁に垂設された側周壁７とを具えている。
【００７０】
泡吐出ポンプＣｂのノズルヘッドＣ３ｂは、片側にノズル１２１を設けたヘッド部１２２と、ヘッド部１２２の下面から垂設される内筒部１２３と、ヘッド部１２２の下面外縁から垂設される外筒部１２４とを具えている。
ノズルヘッドＣ３ｂ内には、内筒部１２３内周からヘッド部１２２内を通りノズル１２１の先端まで連なる流通路１２５が形成されている。
【００７１】
内筒部１２３は、内周下部にステム３４の上部筒部６０に係合する係合部１２６が設けられ、外周が取付キャップＢｂの内筒１２０内周に挿入されるようになっている。
外筒部１２４は、容器を組み立てる際に、内周に取付キャップＢｂの内筒１２０の上部が挿入されるようになっており、内筒１２０の外周には、ストッパー１２７が嵌挿されている。
【００７２】
次に、本実施例の泡状の内容液吐出容器の作用効果について説明する。
本実施例の容器は、取付キャップＢｂの内筒１２０の上部が、容器を組み立てる際に、泡吐出ポンプＣｂのノズルヘッドＣ３ｂの内筒部１２３と外筒部１２４との間に挿入されているため、オーバーキャップを被嵌しなくても内筒１２０の内周から容器内に粉塵や水が侵入することを防ぐことができる。
その他の構成は、第１実施例と同一であり、同一の作用効果を得ることができる。
【００７３】
また、容器を組み立てた後に、取付キャップＢｂの内筒１２０の外周に脱着可能に係合し、泡吐出ポンプＣｂのヘッド部１２２の下降を阻止するストッパー１２７を装着することにより、誤操作によるヘッド部１２２の下降を防止することができる。
【実施例４】
【００７４】
次に、上記各実施例の大径シリンダーの上端部内周に、内蓋を装着した第４実施例について説明する。
本実施例の第１実施例と同一の構成部分には、同一の符号を付して図示して詳しい説明を省略し、以下相違点を中心に説明する。
【００７５】
図１１において、Ａは容器本体、Ｂｃは取付キャップ、Ｃｃは取付キャップＢｃにより容器本体Ａの口筒部に装着された泡吐出ポンプである。
【００７６】
泡吐出ポンプＣｃは、シリンダー部材Ｃ１ｃと、ピストン部材Ｃ２ｃ、およびピストン部材Ｃ２ｃに装着されるノズルヘッドＣ３ｃとからなっている。
シリンダー部材Ｃ１ｃの大径シリンダー１５の上端部内周は、縮径され、係合部１３０が形成されており、該係合部１３０には、大径シリンダー１５の上面を覆う内蓋１３１が嵌着されている。
内蓋１３１は、大径シリンダー１５の天面に接合する上板１３２と、該上板１３２から垂設され、係合部１３０に嵌合される係合筒１３３、および上板１３２内周縁から垂設される内筒１３４とから構成されている。
【００７７】
ピストン部材Ｃ２ｃのステム１３５の下部筒部１３６には、フランジ１３７が設けられており、該フランジ１３７は、内蓋１３１の内筒１３４の下端に当接することによって、ピストン部材Ｃ２ｃの抜け出しを阻止することができる。
【００７８】
取付キャップＢｃの案内筒１３８は、第１実施例より短くし、本実施例では、内蓋１３１に接合しないようにしているが、強く圧接しなければよいので実施例に限定されない。
【００７９】
次に、本実施例の構成による作用効果について説明する。
泡吐出ポンプＣｃの組立にあたって、ノズルヘッドＣ３ｃを除いたピストン部材Ｃ２ｃをシリンダー部材Ｃ１ｃ内に装着し、次いで、内蓋１３１を大径シリンダー１５の上端に嵌着することによって一体化される。
次いで、泡吐出ポンプＣｃを、取付キャップＢｃを用いて容器本体Ａの口筒部に装着し、ノズルヘッドＣ３ｃを取着することによって泡状液の吐出容器が組み立てられる。
【００８０】
したがって、内蓋１３１により、シリンダー部材Ｃ１ｃとピストン部材Ｃ２ｃとをセットしておくことができるので、取付キャップＢｃが変わっても、吐出容器の組立てが簡単に行われるようになった。
その他には、第１実施例と同一の作用効果を得ることができる。
【産業上の利用可能性】
【００８１】
本発明は、従来公知の泡状内容液吐出容器に比べ、少ない部材でノズルヘッドの押下げ操作により、ノズル口より泡状の内容液を吐出することができるので、安価に、なおかつ簡単に製作することができる。
また、容器からノズルヘッドが外れても、ボール弁が紛失することを防止することができる。
本発明のノズルヘッドは、化粧品、薬品、その他の内容液を泡状に吐出する内容液吐出容器として、広く利用することができる。
【図面の簡単な説明】
【００８２】
【図１】本発明の第１実施例の泡状液吐出容器の説明図である。
【図２】第１実施例の泡吐出ポンプの説明図である。
【図３】泡吐出ポンプ下方部の小径シリンダー部と、ピストン、ポペット弁の説明図である。
【図４】ポンプ中間部のピストンガイド、エアーピストン、ステム等の説明図である。
【図５】ポンプ上方部のステム、ノズルヘッド等の説明図で、図中ａは要部の拡大図である。
【図６】吐出容器のノズルヘッド押下げ時の説明図である。
【図７】第２実施例の泡状液吐出容器の説明図である。
【図８】泡吐出ポンプの説明図である。
【図９】吐出容器のノズルヘッド押下げ時の説明図である。
【図１０】第３実施例の泡状液吐出容器の説明図で（ａ）は吐出容器、（ｂ）はストッパーの説明図である。
【図１１】第４実施例の泡状液吐出容器の説明図である。
【符号の説明】
【００８３】
Ａ          容器本体
Ｂ、Ｂａ、Ｂｂ、Ｂｃ  取付キャップ
Ｃ、Ｃａ、Ｃｂ、Ｃｃ  泡吐出ポンプ
Ｃ１、Ｃ１ａ、Ｃ１ｂ、Ｃ１ｃ  シリンダー部材
Ｃ２、Ｃ２ａ、Ｃ２ｂ、Ｃ２ｃ  ピストン部材
Ｃ３、Ｃ３ａ、Ｃ３ｂ、Ｃ３ｃ  ノズルヘッド
Ｄ          オーバーキャップ
Ｐ          パッキン
１          口筒部
２          胴部
３、１４    ねじ
５          上壁
６、１３８  案内筒
６ａ、４３ａ、４４ａ、５２ａ  縦溝
７          側周壁
８          上部側周筒
９          段部
１０        下部側周筒
１１        係合凹部
１２、９３  係合突条
１３、８８、１２６、１３０  係合部
１５        大径シリンダー
１６        底壁
１７        小径シリンダー
１８        取付フランジ
１９        位置合わせ突部
２０        通気孔
２１        隆起部
２２        円垂筒
２３、５６  流通口
２４        吸込みパイプ
２５        接続筒
２６        弁座
２７        ばね受けリブ
３０        ピストン
３１        ポペット弁
３２        スプリング
３３        ピストンガイド
３４、１０２、１３５  ステム
３５、１０３  エアーピストン
３６        筒部
３７、５３  係合フランジ
３８        シール筒部
３９        係合リング
４０        軸体
４１        下部弁体
４２        上部弁体
４３        大径部
４４        小径部
４５        弁部
４６        係合リブ
４７        外筒部
４８        仕切板
４９        内筒部
５０        上筒部
５０ａ、６１ａ  膨出部
５１        拡径筒部
５２        下筒部
５４、５８、８９  縦リブ
５５        弁座筒
５７        ボール弁
６０        上部筒部
６１、１３６  下部筒部
６２        仕切部
６３        メッシュリング
６４        流通孔
６５        保持部
６６        上壁部
６７        内筒
６８        弁部
６９        係合部
７０        空気溝
７１        係合筒
７２        気液混合室
７３、１２３  内筒部
７４        上壁部
７５        摺動筒部
７６        下部内筒
７７        上部内筒
７８        上部壁
７９        下部壁
８０        空気孔
８１        エアーピストンバルブ
８２、８７  筒部
８３        弁部
８４        空気室
８５、１２１  ノズル
８６        ヘッド部
９０、１２５  流通路
９１        頂壁
９２        側周壁
１００      係合突部
１０１      凹部
１０４、１３７  フランジ
１０５      シール筒
１０５ａ    拡径部
１０６      上部壁部
１０７      上部外筒
１０８      シール部
１２０      内筒
１２４      外筒部
１２７      ストッパー
１３１      内蓋
１３２      上板
１３３      係合筒
１３４      内筒
【図１】
2007054823.tif 000003
【図２】
2007054823.tif 000004
【図３】
2007054823.tif 000005
【図４】
2007054823.tif 000006
【図５】
2007054823.tif 000007
【図６】
2007054823.tif 000008
【図７】
2007054823.tif 000009
【図８】
2007054823.tif 000010
【図９】
2007054823.tif 000011
【図１０】
2007054823.tif 000012
【図１１】
2007054823.tif 000013